(57)【要約】【課題】  転写紙に隠されている祝賀メッセージを熱伝導により表示して行事場の雰囲気を一層盛り上げ，多様な形や模様のベース，敷板，および複数の蝋燭でより華麗で多様な雰囲気を演出するケーキ用装飾用品を提供する。【解決手段】  ケーキ１０に差し込まれる固定ピン３１が底面に形成され，ケーキ１０上に載置されるベース３０と，前記ベース３０に設けられ，熱を発する加熱手段と，前記ベース３０の壁面に設けられ，予め印刷されたメッセージを加熱手段の熱伝導により表示するディスプレイ手段と，を含んでなる。【選択図】    図３
2006218852.tif 000002
【特許請求の範囲】
【請求項１】
ケーキ用装飾用品において：
ケーキに差し込まれる固定ピンが底面に形成され，前記ケーキ上に載置されるベースと；
前記ベースに配置され，熱を発する加熱手段と；
前記ベースの垂直な壁面に設けられ，予め印刷されたメッセージを前記加熱手段による熱伝導によって表示するディスプレイ手段と；
を備えることを特徴とする，ケーキ用装飾用品。
【請求項２】
前記加熱手段は，
前記ベースの上面に載置される敷板と；
前記敷板に配置される一つ以上の燭台と；
前記燭台に配置される蝋燭と；
を備えることを特徴とする，請求項１に記載のケーキ用装飾用品。
【請求項３】
前記加熱手段は，
前記ベースの上面に形成されたレール溝と；
前記ベースのレール溝に固定されるレール固定部が底面に形成された一つ以上の燭台と；
前記燭台に配置される蝋燭と；
を備えることを特徴とする，請求項１に記載のケーキ用装飾用品。
【請求項４】
前記加熱手段は，
前記ベースの上面に形成された複数の結合孔と；
前記ベースの前記結合孔にそれぞれ結合される結合ピンが底面に形成された燭台と，
前記燭台に配置される蝋燭と；
を備えることを特徴とする，請求項１に記載のケーキ用装飾用品。
【請求項５】
前記加熱手段は，
各々に蝋燭が設けられ，前記ベースの上面に付着された複数の燭台を備えることを特徴とする，請求項１に記載のケーキ用装飾用品。
【請求項６】
前記加熱手段は，
前記ベースに一体的に形成される蝋燭収容容器と；
前記蝋燭収容容器に収容され，複数の芯を有する蝋燭と；
を備えることを特徴とする，請求項１に記載のケーキ用装飾用品。
【請求項７】
前記加熱手段は，
前記ベースの上面に配置される蝋燭収容容器と；
前記蝋燭収容容器に収容され，複数の芯を有する蝋燭と；
を含むことを特徴とする，請求項１に記載のケーキ用装飾用品。
【請求項８】
前記ディスプレイ手段は，感温変色マイクロカプセルで印刷された転写紙を含むことを特徴とする，請求項１に記載のケーキ用装飾用品。
【発明の詳細な説明】
【技術分野】
【０００１】
本発明はケーキ用装飾用品に係り，より詳しくは，熱転写される誕生日祝いのメッセージ，絵などにより，誕生日，結婚式，そのほかの各種記念日などの祝賀行事で祝賀雰囲気をより劇的にかつ華麗に演出するために使用されるケーキ用装飾用品に関するものである。
【背景技術】
【０００２】
最近，経済成長につれて生活の余裕を追求しようとする雰囲気が社会的に次第に拡散している。これに伴い，各種のパーティ行事やイベント文化が普遍している趨勢にある。特に，誕生日，結婚式などのイベント行事などに使用される用品のうち，ケーキは祝賀行事に必ず使用される。
【０００３】
一般に，ケーキは，購入の際，ケーキ用蝋燭，ナイフ，爆竹，カードなどがともに提供される。このような用品は誕生日パーティ，結婚式などの各種行事の際，雰囲気をより劇的で華麗に演出するのに使用される。
【０００４】
しかし，従来のケーキ用品は祝賀行事の雰囲気をより劇的で華麗に演出するのに制限があった。すなわち，従来は，ケーキの購入時にともに提供される蝋燭で周囲を照らして雰囲気を盛り上げているが，制限された数の蝋燭では多様で華麗な雰囲気を演出するのには無理があった。
【０００５】
さらに，従来は，ケーキの購入時にともに提供される蝋燭と爆竹のほかにはイベント用品が備えられていないため，より華麗で神秘的な雰囲気を演出することができない問題点があった。
【発明の開示】
【発明が解決しようとする課題】
【０００６】
そこで，本発明は上述したような従来の問題点を解決するためになされたもので，その目的は，転写紙に隠されている祝賀メッセージが熱伝導により表示されるようにして，行事が行われている場の雰囲気をさらに盛り上げることができるケーキ用装飾用品を提供することにある。
【０００７】
また，本発明のほかの目的は，多様な形や模様のベース，敷板，および複数の蝋燭によって，より華麗で多様な雰囲気を演出することができるケーキ用装飾用品を提供することにある。
【課題を解決するための手段】
【０００８】
上記課題を解決するために，本発明は，ケーキ用装飾用品において，ケーキに差し込まれる固定ピンが底面に形成され，ケーキ上に載置されるベースと，前記ベースに設けられ，熱を発する加熱手段と，前記ベースの垂直な壁面に設けられ，予め印刷されたメッセージを加熱手段による熱伝導によって表示するディスプレイ手段と，を備えることを特徴とする，ケーキ用装飾用品を提供する。
【発明の効果】
【０００９】
以上説明したように本発明によれば，加熱手段の熱伝導により，転写紙に隠されているメッセージが表示されるので，行事をより神秘で幻想的に演出し，行事の雰囲気をさらに盛り上げることができるという効果がある。
【００１０】
また，本発明は，加熱手段の熱伝導により，隠されたメッセージを表示する方式であるので，行事に参加した参加者とその行事の主人公に神秘感と好感を与えて，祝賀行事に一層集中させる役割を担うという有用な効果がある。
【００１１】
そして，本発明によるケーキ用装飾用品は，多様な形や模様のベース，敷板，および多数の蝋燭でより華麗で多様な雰囲気を演出することができ，かつベースと転写紙に広告などを掲載することができるので，製品の広報手段として活用可能であるという有用な効果もある。
【発明を実施するための最良の形態】
【００１２】
以下，添付図面を参照しながら本発明の好適な実施形態について詳細に説明する。
【００１３】
図１および図２に示すように，本発明のケーキ用装飾用品は，大別してベース３０，加熱手段，およびディスプレイ手段からなる。まず，ベース３０は，ケーキ１０上に容易に設置できるように，底面に固定ピン３１が設けられ，上面両側には結合孔３２が形成される。
【００１４】
加熱手段は，ディスプレイ手段に熱を伝導するとともに，行事の雰囲気を盛り上げるためのもので，図１は加熱手段の第１実施形態を示すものである。これに対応して，敷板４０の底面には結合突起４１が形成され，前記結合突起４１は前記ベース３０の結合孔３２に挿入される。
【００１５】
敷板４０上には，蝋燭６０が各々載置された複数の燭台５０が装着される。燭台５０に載置される蝋燭は，ディスプレイ手段に熱伝導する機能のほかに，蝋燭の火が有する優雅さと神秘的な雰囲気を演出して，誕生日または結婚祝賀行事の際，行事の雰囲気を一層美しく演出する機能をする。
【００１６】
図４は，加熱手段の第２実施形態を示すもので，ベース３０の上面にレール溝３３が形成され，燭台５０の下部には，前記レール溝３３に固定されるレール固定部５１が形成される。それぞれの燭台５０には，加熱手段の第１実施形態と同様に，蝋燭６０が載置される。
【００１７】
転写紙７０は燭台５０に設けられた蝋燭６０の火から熱を受ける。この際，加熱手段の第２実施形態によると，燭台５０はレール溝３３に沿って自由に移動できるので，燭台５０の位置調整が容易であり，その組立が一層容易になる。
【００１８】
図５は，加熱手段の第３実施形態を示すもので，ベース３０の上面には複数の結合孔３４が一列に形成される。それぞれの結合孔３４には，下端に結合ピン５２が形成された燭台５０が結合され，それぞれの燭台５０上には蝋燭６０が載置される。
【００１９】
転写紙７０は，結合孔３４に結合された燭台５０の蝋燭６０の火から熱を受ける。加熱手段の第３実施形態によると，結合孔３４に燭台５０を差し込む簡単な作業のみで燭台５０を簡単に設置することができる利点がある。
【００２０】
図６は，加熱手段の第４実施形態を示すもので，蝋燭６０を備えた燭台５０がベース３０の上面に接着されている。したがって，転写紙７０は，ベース３０の上面に接着された燭台５０上の蝋燭６０の火から熱を受けることができる。このような加熱手段の第４実施形態によると，燭台５０と蝋燭６０がベース３０に安定的に設置される。
【００２１】
図７は加熱手段の第５実施形態を示すもので，ベース３０の前方部に蝋燭収容容器３５が形成され，この蝋燭収容容器３５には複数の芯６２を有する蝋燭６１が収容される。したがって，ベース３０の壁面に付着された転写紙７０は，蝋燭収容容器３５に収容された蝋燭６１の火から熱を受けることができる。加熱手段の第５実施形態によると，多数の燭台５０および蝋燭６０が不要であるので，部品数を減らし，製品の組立，生産が簡素化される。
【００２２】
図８は加熱手段の第６実施形態を示すもので，ベース３０の上面には別体としての蝋燭収容容器３６が設けられる。この蝋燭収容容器３６には多数の芯６２を有する蝋燭６１が収容される。蝋燭収容容器３６の底面の両側には結合突起３７が形成され，この結合突起３７はベース３０の上面に形成された結合溝３２に結合される。
【００２３】
ベース３０の壁面に付着された転写紙７０は，加熱手段の第５実施形態と同様に，蝋燭収容容器３６に収容された蝋燭６１の火から熱を受けることができる。この実施形態においても，多数の燭台５０および蝋燭６０が不要であるので，部品数を減らし，製品の組立，生産が簡素化される。
【００２４】
第５実施形態および第６実施形態では，ケーキ用装飾用品２０の加熱手段はベース３０の壁面の前方にのみ設けられるが，必要に応じて，ベース３０の壁面の後方（背部）にも同様に加熱手段が設けられてもよい。
【００２５】
一方，ディスプレイ手段は前記ベース３０の壁面に付着され，加熱手段からの熱伝導により，隠されたメッセージを表示するものである。本発明においては，感温変色マイクロカプセルを用いた転写紙７０を使用した。
【００２６】
より詳細に説明すると，転写紙７０の製作の際，誕生日または結婚祝賀メッセージを表示するように，感温変色カプセルで予め印刷しておく。加熱手段の熱が伝導されると，転写紙７０に予め印刷された祝賀メッセージが表示され，誕生日，結婚式などの行事の雰囲気を一層盛り上げることができる。
【００２７】
ここで，感温変色マイクロカプセル（Thermosensitive Microcapsule）について簡略に説明する。感温変色マイクロカプセルは，温度が一定温度以上に上昇すると所定の色相が他の色相，無色または背景色に変わり，また，温度が一定温度以下に下降すると元の色相に戻る製品を言う。
【００２８】
したがって，本発明においては，感温変色マイクロカプセルのインク製品で，誕生日，結婚の祝賀メッセージまたは絵などを表示するように，転写紙７０に印刷するので，加熱手段により熱が伝導されると，図３に示すように，予め印刷された祝賀メッセージが表示されて，祝賀行事の雰囲気を一層盛り上げることができる。
【００２９】
このように構成された本発明の作用および効果を詳細に説明する。以後，ベース３０に設けられる加熱手段は第１実施形態に基づいて説明する。
【００３０】
誕生日または結婚祝賀行事の準備の際，ケーキ１０上に蝋燭１１を差し込む。この際，本発明のケーキ用装飾用品２０も，図２および図３に示すように，ケーキ１０の上面にともに設置する。
【００３１】
すなわち，ベース３０の底面に形成された固定ピン３１をケーキ１０に差し込んだ後，蝋燭６０に火を点けると，蝋燭６０が燃焼しながら転写紙７０に熱を伝導するので，転写紙７０に隠されたメッセージが熱伝導により図３のように外部に表示される。
【００３２】
したがって，隠されたメッセージが熱伝導により外部に表示されると，祝賀行事場の雰囲気は一層盛り上がり，特に祝賀行事の主人公は，熱伝導により徐々に現れるメッセージを見て感動することになる。
【００３３】
転写紙７０で現れるメッセージは，蝋燭に火が点けられてから所定時間が経過すると外部に現れるが，その時点はお祝いの歌を歌っているか，あるいは祝賀メッセージを朗読している，雰囲気の熟した時点となる。したがって，雰囲気が頂点に至ったとき，隠されたメッセージが表示されるので，行事の場の雰囲気が一層盛り上がり，さらに有効な祝賀行事が演出される。
【００３４】
さらに，本発明によるケーキ用装飾用品２０は，加熱手段の熱伝導により，隠されたメッセージを表示する方式であるので，行事に参加した参加者と行事の主人公に神秘感と好感を与えて祝賀行事により集中させる役割をする。
【００３５】
本発明においては，図４〜図８に加熱手段のほかの多様な実施形態を示しているが，その基本的な作用および効果は加熱手段の第１実施形態と同一である。
【００３６】
本発明によるケーキ用装飾用品２０は，隠されたメッセージを熱伝導により表示する機能のほかに，ベース３０と加熱手段により多様な装飾機能を発揮することができる。
【００３７】
すなわち，ベース３０は，その形および模様を祝賀行事の性格によって多様に製作して祝賀行事の雰囲気を一層盛り上げることができ，かつ製造会社の広告などを掲載して製品の広報手段としても活用可能なものである。
【００３８】
本発明のケーキ用装飾用品２０は，ケーキ１０上に差し込まれた蝋燭１１のほかにも，敷板４０，燭台５０および蝋燭６０を含む加熱手段の火により一層神秘的で幻想的な祝賀雰囲気を演出することができる。
【００３９】
すなわち，従来は，単に，ケーキの購入時にともに提供される蝋燭１１でケーキ１０を装飾するため，祝賀行事の雰囲気を盛り上げるのに限界があった。しかし，本発明によれば，ケーキ１０に差し込まれる蝋燭１１のほかにも，加熱手段により提供される，装飾機能を有する敷板４０や複数の蝋燭６０によって，一層明るくて神秘的な祝賀行事の雰囲気を演出することができる。
【００４０】
さらに，本発明によるケーキ用装飾用品２０は，敷板４０，ベース３０および蝋燭収容容器３５，３６により，蝋燭６０，６１の蝋がケーキ１０上に落ちることを確実に遮断するので，誕生日，結婚式などの祝賀行事の後，安心してケーキ１０を食べることができる利点がある。
【００４１】
以上，添付図面を参照しながら本発明の好適な実施形態について説明したが，本発明はかかる例に限定されない。当業者であれば，特許請求の範囲に記載された範疇内において，各種の変更例または修正例に想到し得ることは明らかである。すなわち，ベースの型および模様は誕生日，結婚式などの行事内容によって多様に変更可能なものである。
【産業上の利用可能性】
【００４２】
本発明は，誕生日，結婚式，そのほかの各種記念日などの祝賀行事で祝賀雰囲気をより劇的にかつ華麗に演出するために使用されるケーキなどに適用可能である。
【図面の簡単な説明】
【００４３】
【図１】本発明によるケーキ用装飾用品を示す斜視図である。
【図２】本発明によるケーキ用装飾用品を示す正面図である。
【図３】本発明によるケーキ用装飾用品の使用状態を示す斜視図である。
【図４】本発明による加熱手段の第２実施形態を示す斜視図である。
【図５】本発明による加熱手段の第３実施形態を示す斜視図である。
【図６】本発明による加熱手段の第４実施形態を示す斜視図である。
【図７】本発明による加熱手段の第５実施形態を示す斜視図である。
【図８】本発明による加熱手段の第６実施形態を示す斜視図である。
【符号の説明】
【００４４】
１０    ケーキ
１１    ケーキ用蝋燭
２０    ケーキ用装飾用品
３０    ベース
３１    固定ピン
３２    結合孔
３３    レール溝
３４    結合孔
３５，３６    蝋燭収容容器
３７，４１    結合突起
４０    敷板
５０    燭台
５１    レール結合部
５２    結合ピン
６０，６１    蝋燭
６２    芯
７０    転写紙
【図１】
2006218852.tif 000003
【図２】
2006218852.tif 000004
【図３】
2006218852.tif 000005
【図４】
2006218852.tif 000006
【図５】
2006218852.tif 000007
【図６】
2006218852.tif 000008
【図７】
2006218852.tif 000009
【図８】
2006218852.tif 000010